(57)【特許請求の範囲】
【請求項１】
使用者が使用者としての姿勢をとることができる装置であって、少なくとも１個の電気音響変換器を支持する、音波に対して非透過性を示す音響的に密な材料から成るキャリヤを具え、使用者としての姿勢をとっている使用者の少なくとも一方の耳に比較的近くまでこのキャリヤは延在しており、使用者としての姿勢をとっている使用者の耳のために音声信号の音響再生を行うため音波を発生し放射する音声発生手段を具える電気音響変換器を前記キャリヤに取り付けた装置において、
音声信号音波の最適な音響再生を行えるよう前記電気音響変換器を構成し、
この電気音響変換器によって放射する音声信号音波の明瞭な指向性を実現するための付加的手段を前記電気音響変換器に設け、
前記指向性の結果、使用者としての姿勢をとる使用者の耳に優先的に放射するよう、前記電気音響変換器が音声信号を指向させ、
前記付加的手段は、前記電気音響変換器と音響自由空間との間に介挿されたバッフルを具え、前記バッフルに対して、音響的に音波を通過させる隙間を生ずることなく、前記電気音響変換器をシール連結し、また前記バッフルは、前記音声発生手段の前方に位置する前部容積部を前記音響自由空間に連結する少なくとも１個の音声ポートと、前記音声発生手段の背後に位置する後部容積部を前記音響自由空間に連結する少なくとも１個の開口とを有し、前記前部容積部と前記少なくとも１個の音声ポートとを通じて放射される音声信号音波に対して、前記後部容積部と前記少なくとも１個の開口とを通じて前記自由空間内に放射される音声信号音波を前記バッフルによって異なる方向に異なる程度に遅延させ得るよう構成した、
ことを特徴とする装置。
【請求項２】
前記バッフルの他に、前記付加的手段は音響遅延素子を構成している発泡材料形態物を具え、前記後部容積部と前記少なくとも１個の開口とを通じて前記音響自由空間内に放射される音声信号音波の音声路の区域に前記発泡材料形態物が配置されており、この発泡材料形態物が前記電気音響変換器を一部包囲していることを特徴とする請求項１に記載の装置。
【請求項３】
前記発泡材料形態物が前記バッフルの前記少なくとも１個の開口まで少なくとも延びていることを特徴とする請求項２に記載の装置。
【請求項４】
前記発泡材料形態物が前記少なくとも１個の開口内の空間を前記キャリヤまで充填していることを特徴とする請求項３に記載の装置。
【請求項５】
前記発泡材料形態物が鍋状であり、この発泡材料形態物が前記キャリヤの対応する鍋状凹所内に収容されており、前記電気音響変換器が鍋状の前記発泡材料形態物内に取り付けられていることを特徴とする請求項２に記載の装置。
【請求項６】
前記発泡材料形態物が単一の発泡材料部分から成ることを特徴とする請求項３に記載の装置。
【請求項７】
前記発泡材料形態物が開放細孔から成り、所要に応じ密度を高くしたポリウレタンから成ることを特徴とする請求項２に記載の装置。
【請求項８】
前記発泡材料形態物が開放細孔から成り、所要に応じ密度を高くしたポリエチレンから成ることを特徴とする請求項２に記載の装置。
【請求項９】
前記装置が座席として構成されていることを特徴とする請求項１に記載の装置。
【請求項１０】
前記装置が自動車輌の座席として構成されていることを特徴とする請求項１に記載の装置。
【請求項１１】
少なくとも１対の電気音響変換器を前記キャリヤに取り付け、この電気音響変換器によって放射される音声信号音波の明瞭な指向性を実現するための付加的手段を各これ等電気音響変換器に設け、
前記指向性の結果として、使用者としての姿勢をとる使用者の２個の耳のうち一方の耳に優先的に放射するよう、各対の前記電気音響変換器のうち一方の電気音響変換器が音声信号音波を指向させ、この使用者の２個の耳のうち他方の耳に優先的に放射するよう、他方の電気音響変換器が音声信号音波を指向させることを特徴とする請求項１に記載の装置。
【請求項１２】
使用者が使用者としての姿勢をとることができる装置であって、少なくとも１個の電気音響変換器を支持する、音波に対して非透過性を示す音響的に密な材料から成るキャリヤを具え、使用者としての姿勢をとっている使用者の少なくとも一方の耳に比較的近くまでこのキャリヤは延在しており、使用者としての姿勢をとっている使用者の耳のために音声信号の音響再生を行うため音波を発生し放射する音声発生手段を具える電気音響変換器を前記キャリヤに取り付けた装置において、
音声信号音波の最適な音響再生を行えるよう前記電気音響変換器を構成し、
この電気音響変換器によって放射する音声信号音波の明瞭な指向性を実現するための付加的手段を前記電気音響変換器に設け、
前記指向性の結果、使用者としての姿勢をとる使用者の耳に優先的に放射するよう、前記電気音響変換器が音声信号を指向させ、また
異なる発泡材料構造を有する少なくとも２個の発泡材料部分から成る発泡材料形態物によって前記付加的手段が構成されており、前記発泡材料部分が前記電気音響変換器の後部容積部の区域でこの電気音響変換器を少なくとも円周で包囲し、これ等発泡材料部分が相互に対をなして直接隣接しており、それぞれ前記音響自由空間に直接隣接していることを特徴とする装置。
【請求項１３】
前記発泡材料部分の一方が音響的に密な発泡材料から成ることを特徴とする請求項１２に記載の装置。
【発明の詳細な説明】
本発明は使用者が使用者としての姿勢をとることができる装置であって、この装置は少なくとも１個の電気音響変換器を支持する、音波に対して非透過性を示す音響的に密な材料から成るキャリヤを具え、使用者としての姿勢をとっている使用者の少なくとも一方の耳に比較的近くまでこのキャリヤは延在しており、使用者としての姿勢をとっている使用者の耳に対し音声信号の音響再生を行うため、音波を発生し、放射する音声発生手段を具える電気音響変換器をキャリヤに取り付けた装置に関するものである。
最初のパラグラフに記載された形式のこのような装置は、例えば、米国特許第4027112号から既知である。この既知の装置は自動車輌の座席であり、この座席は着席姿勢にある使用者の頭部を支持するヘッドレストを有し、このヘッドレストの大部分はキャリヤとして設けた音響的に密な材料から成る支持体によって形成されており、この支持体は使用者の頭部の支持帯域に隣接してそれぞれ位置する２個の凹所を有し、これ等凹所のおのおのに電気音響変換器を収容している。これ等２個の電気音響変換器はステレオ信号、即ち基本的に音楽信号を最適に音響再生するよう構成されている。ヘッドレスト上のこれ等の構成により、２個の電気音響変換器はその前側が着席姿勢にある使用者の頭部に向け指向しているが、ステレオ信号の上記の最適な音声の再生を達成するため、両方の電気音響変換器はできるだけ大きな角度範囲にわたり、できるだけ同一強さの音波を放射する。この結果、２個の電気音響変換器によって放射された音波は着席姿勢にある使用者の耳に達するだけでなく、即ち使用者が希望する設定した音量で使用者に聞こえるだけでなく、他の近くの人、例えば使用者の隣の人、又は後ろの人にも聞こえる。多くの場合、このことは近くの人にとって迷惑なことである。しかも、この既知の座席に関しては、ステレオ信号の最適な再生を行うよう意図して既知の座席に配置された電気音響変換器は、例えば、両手を使わないで通信装置を操作中、発生する純粋の音声信号音波を満足に再生することができない。
本発明の目的は最初のパラグラフに記載された形式の装置の欠点を簡単、安価に除去し、そのような装置の改良した装置を提供するにある。この目的を達成するため、本発明装置は音声信号音波の最適な音響再生を行えるよう電気音響変換器を構成し、この電気音響変換器によって放射する音声信号音波の明瞭な指向性を実現するための付加的手段をこの電気音響変換器に設け、この指向性の結果、使用者としての姿勢をとっている使用者の耳に優先的に放射するよう電気音響変換器が音声信号を指向させ、前記付加的手段は、前記電気音響変換器と音響自由空間との間に介挿されたバッフルを具え、前記バッフルに対して、音響的に音波を通過させる隙間を生ずることなく、前記電気音響変換器をシール連結し、また前記バッフルは、前記音声発生手段の前方に位置する前部容積部を前記音響自由空間に連結する少なくとも１個の音声ポートと、前記音声発生手段の背後に位置する後部容積部を前記音響自由空間に連結する少なくとも１個の開口とを有し、前記前部容積部と前記少なくとも１個の音声ポートとを通じて放射される音声信号音波に対して、前記後部容積部と前記少なくとも１個の開口とを通じて前記自由空間内に放射される音声信号音波を前記バッフルによって異なる方向に異なる程度に遅延させ得るよう構成した、ことを特徴とする。
本発明の要旨により、着席姿勢、又はリクライニング姿勢のような使用者の姿勢をとることができ、音声の満足な音響再生を保証し、更に、明瞭な指向性の故に、非常に小さな角度範囲内で、強い音声信号音波を放射する結果、使用者の姿勢を占める使用者の耳に向け、特に良好に指向された音波の放射を行うことができ、またこの本発明装置の使用者は付近に音声信号音波の好ましくない音声放射を生ずることなく、この使用者にとって非常に満足な音声を受けとることができ、使用者の付近の人に殆ど迷惑を生じない装置を簡単、安価に、実現容易なように得ることができる。明瞭な指向性の結果として達成される良好な指向性の音声放射は、更に例えばこの製品に収容された変換器を利用して電話をかけている間に音声の再生を行う場合、使用者の付近の人によって盗み聞きが実質的に不可能なように、使用者が再生のボリュームの設定を選択することができる。このことは内密の情報を使用者が受けている時に望ましいことである。本発明の変換器においては、ほぼ500Hzと5Hzとの間の周波数範囲で音声信号を再生するように変換器を最適化すれば有利であることが立証されている。
音声信号音波を音響的に正しく再生するよう、特別に構成した電気音響変換器をヘッドレストの区域に収容した装置、即ち自動車輌の座席はヨーロッパ特許第0368291号から既知である。しかし、この既知の座席においては、この座席内に、即ち座席のヘッドレストに収容された電気音響変換器はこの電気音響変換器によって放射された音声信号音波の明瞭な指向性を実現させる付加的手段を具えておらず、従ってこの電気音響変換器は小さな角度範囲だけでなく、比較的大きな角度範囲に強い音声信号音波を放射する。その結果、この既知の装置は本発明装置によって得られる本発明の利点が得られない。
本発明によれば、使用するバッフルは同時に、電気音響変換器を機械的に支持するためにも使用し得る他の利点がある。
請求項１に記載した特徴ある要旨を有する本発明装置において、電気音響変換器によって放射された音声信号音波の明瞭な指向性を実現するための付加的手段には、バッフル以外に、音響遅延素子を形成するフェルト材料形態物を設けることができる。しかし、請求項１に記載した特徴ある要旨を有する本発明装置においては、更に、従属請求項２に記載した要旨を採用するのが非常に有利であることが立証されている。このような発泡材料形態物は、使用される発泡材料の構造を適切に選択することによって、その関連する発泡材料が音声信号音波の伝播時間に及ぼす作用を種々の要請、及び条件に非常に簡単に、有効に適合させることができる利点がある。発泡材料の構造の選択とは例えば、発泡材料の密度、及び／又は発泡材料の通気性に関することである。
従属請求項２に記載した特徴ある要旨を有する本発明装置においては、更に、従属請求項４に記載した要旨を採用することによって、特に有利であることが立証されている。このようにして発泡材料形態物の一層高い有効性を得ることができる。
従属請求項３に記載した特徴ある要旨を有する本発明装置においては、従属請求項４に記載した要旨を更に採用すれば、非常に有利であることが立証されている。このようにして、発泡材料形態物を使用して、少なくとも１個の開口内の空間を装置のキャリヤまで充填することができ、このことは、そこに収容した電気音響変換器、及び付加的手段と共に全体のキャリヤを例えば織物等のカバーで覆い、又は装飾する場合、特に有利である。
従属請求項２に記載した特徴ある要旨を有する本発明装置においては、更に、従属請求項５に記載した要旨を採用すれば、非常に有利であることが立証されている。このような実施例は、中間装置を形成するようにバッフル、及び発泡材料形態物に既に連結された変換器を簡単に組み立てることができ、この中間装置を本発明装置に簡単に内蔵させることができ有利である。従属請求項５による要旨は従属請求項３、及び従属請求項４に記載された特徴ある要旨を有する本発明装置に有利に加えることができる。
従属請求項２に記載された特徴を有する要旨を有する本発明装置においては、更に従属請求項６に記載された要旨を採用すれば非常に有利であることが立証されている。これは、特に簡単で低コストの構造のため有利である。従属請求項３、従属請求項４、及び従属請求項５に記載した特徴の要旨を有する本発明装置に、従属請求項６による要旨を有利に加えることができる。
従属請求項２に記載した特徴ある要旨を有する本発明装置においては、従属請求項７に記載した要旨を更に採用すれば非常に有利であることが立証されている。このような実施例は実際のテストにおいて非常に有利であることが立証されている。従属請求項３，４，５および６に記載の特徴ある要旨を有する本発明装置に、従属請求項７による要旨を有利に加えることができる。
しかし、従属請求項２に記載の特徴ある要旨を有する本発明装置においては、従属請求項８に記載の要旨を更に採用すれば非常に有利であることが立証されている。このような実施例は実際のテストにおいて非常に有利であることが立証されている。従属請求項８に記載の要旨は、従属請求項３，４，５，６および７に記載の特徴ある要旨を有する本発明装置に有利に適用することができる。
しかし、発泡材料形態物は上述の材料以外の材料で構成することもできる。
独立請求項１に記載した特徴ある要旨を有する本発明装置においては、更に従属請求項９に記載の要旨を採用すれば非常に有利であることが立証されている。本発明の手段はこのような装置において非常に有利であることが立証されている。従属請求項２〜８に記載された特徴ある要旨を有する本発明装置に、従属請求項９による要旨を有利に加えることができる。更に、本発明装置は座席として構成することができるだけでなく、例えば、ベッド、ソファ、又は長椅子として構成することもできる。
従属請求項９に記載された特徴ある要旨を有する本発明装置において、従属請求項１０に記載の要旨を採用すれば非常に有利であることが立証されている。自動車輌用の座席として構成された本発明装置の場合、本発明による手段は多くの使用者に特に有利であり、魅力的であることがわかった。
独立請求項１に記載された特徴ある要旨を有する本発明装置においては、従属請求項１１に記載された手段を採用すれば非常に有利であることが立証されている。明瞭な指向性をそれぞれ有する例えば２個の変換器を設けることは音量の利得に有利であり、従って特に良好な音声信号受信が行える利点がある。所要に応じ、４個の変換器をキャリヤに連結することができ、キャリヤの各トウムで、２個の変換器が使用者の一方の耳に音声信号音波を放射する。従属請求項２〜１０に記載した特徴ある要旨を有する本発明装置に、従属請求項１１の手段を有利に加えることができる。
本発明の上述の態様、及びその他の態様は例として以後、説明する実施例から明らかになるであろう。
例として図面に示された若干の実施例を参照して本発明を一層、詳細に説明するが、本発明はこれ等の実施例に限定されるものでない。
図１は本発明の背景に関連する自動車輌１の一部を示す。この自動車輌１の線図的に示した運転者２を中心として、自動車輌１のほぼ一部のみを示している。この部分には操向ハンドル３と、電話機５を備えたダッシュボード４とを含む。この電話機５は両手の操作を行わなくともよいように構成されており、その作動状態では、運転者２が話した音声は電話機５内に組み込まれたマイクロホンによって捕捉され、電話機５によって受信された音声信号は線図的に一部のみを示した導電接続線６を通じて、線図的に示された電気音響変換器７に加えられる。この電気音響変換器７はスピーカとして構成されている。
図１に示した自動車輌１の部分には更に本発明装置、即ち自動車輌１の座席８が含まれている。この座席８は基本的に底部９と、背当て１０とを具え、背当て１０の上部１１にヘッドレスト１２を支持している。
座席８の使用者、即ち運転者２は座席８上で使用者の姿勢をとることができ、この実施例では図１に示すように着席している姿勢である。
座席８の上部１１の区域を図２、及び図３にも示すが、ヘッドレスト１２は取り外してある。図３から明らかなように、織物、又は同様の材料のカバー１３を座席８に掛けてもよい。運転者２の身体を支持するため、即ち使用者の姿勢にある運転者２の右の耳１４に近い肩の区域１５のような運転者の一方の耳に比較的近い身体の少なくとも一部を支持するため、音波に対して非透過性を示す音響的に密な材料から成る支持体１６をこの座席８に設け、この支持体１６を電気音響変換器のキャリヤとして役立たせ、この支持体１６を運転者２の耳１４に比較的近く延在させる。支持体１６によって形成されたキャリヤに上述の電気音響変換器７を接続し、使用者の姿勢にある運転者２の耳１４のために音響信号を音響的に発生させる。電気音響変換器７は支持体１６内に内蔵されており、その目的のため変換器７を収容する凹所１６Ａを支持体１６に設ける。
図３に線図的ではあるが電気音響変換器７を詳細に示す。この変換器７は磁石１７を具え、この磁石１７は一側ではディスク状カバー板１８に隣接し、反対側では鍋状ヨーク１９に隣接している。鍋状ヨーク１９の自由端面と、カバー板１８との間には環状空隙が形成されており、ダイアフラム２１に機械的に取り付けられている移動コイル２０はこの空隙内に突出している。ダイアフラム２１は、音波を発生し、放射する音響発生手段を形成しており、この音響発生手段は支持体１６から遠方の変換器７の区域に配置されている。ダイアフラム２１は例えば接着剤によってハウジング２２の自由端面の区域内で、変換器のほぼ鍋状のハウジング２２に固着されている。ハウジング２２も鍋状ヨーク１９、磁石１７、及びカバー板１８を収容しており、これ等３個の部材１７、１８、１９は変換器７の磁石システムを形成しており、これ等部材は接着剤によって相互に、及びハウジングにそれぞれ連結されている。ハウジング２２はその底壁２３の区域に、複数個の通路２４を有しており、このことはハウジングが後方に音響的に開放していることを意味する。
音声信号の音波を最適に音響再生し得るよう、図１、図２、及び図３に示す座席８内の変換器７を構成するのが有利である。変換器７内の磁石システム１７、１８、１９、その移動コイル２０、ダイアフラム２１、及びハウジング２２の適切な構造によって、既知のようにこのことを達成する。この変換器７の構造は、音声音波の最適な音響再生に特に有利であるほぼ500Hzから、ほぼ5Hzまでの周波数範囲内での正しい音響再生を保証する。
更に、座席８内の変換器７は放射する音声信号音波のための明瞭な指向性を実現するための付加的手段２５を具えており、その指向性の結果、変換器７は音声信号音波を指向させ、着席姿勢にある運転者２の右の耳１４に優先的に音声信号音波を放射する。
この実施例では、付加的手段２５は変換器７と音響自由空間との間に介挿されたバッフル２６を具える。図３では音響自由空間を符号２７によって示す。音響自由空間２７は支持体１６内の凹所１６Ａの内側にあるだけでなく、支持体１６のカバー１３の外側にもあることは明らかである。バッフル２６は凹所１６Ａに完全に収容されており、凹所１６Ａのそれぞれの側壁に連結された長側壁２５Ａと、短側壁２５Ｂとを有する。この連結はその発泡工程中に行われるのが好適であるが、このような連結は圧嵌、又は接着剤によって行うこともできる。変換器７は、音響的に音波を通過させる隙間を生ずることなく、バッフル２６にシール連結されている。この実施例では、変換器７の鍋状ハウジング２２の自由端面を接着剤によってバッフル２６に連結している。
バッフル２６は複数個の音声ポート２８を有し、この音声ポート２８はダイアフラムの前方にある変換器７の前部容積部２９を音響自由空間２７に連結している。図３、及び図２から明らかなように、バッフル２６は支持体１６の凹所１６Ａの全断面区域を覆っておらず、ほぼＬ字状の開口３０を有し、この開口３０はダイアフラム２１の背後にある変換器７の後部容積部３１を音響自由空間２７に連結している。この実施例では、この連結は鍋状ハウジング２２の底壁２３の通路２４と、支持体１６内の凹所１６Ａの一部とを通じて行われている。後部容積部３１と、鍋状ハウジング２２の底壁２３の通路２４と、支持体１６内の凹所１６Ａの一部と、開口３０とを通じて、自由空間２７内に放射された音声信号音波をバッフル２６によって、異なる方向に、異なる程度に遅延させることができる。従って、後部容積部３１と、開口３０とを経て、ダイアフラム２１によって放射された音声信号音波は、前部容積部２９を通じて開口３０に向け放射される音声信号音波の比較的強力な減衰作用を生ずるのであるが、前部容積部２９を通じてバッフル２６の無孔区域３２に向け放射される音声信号音波は、上記区域３２が無孔区域であるため、後部容積部３１と、通路２４とを経て伝播する音声信号音波によって減衰されることがない。その結果、前部容積部２９を通じてバッフル２６の無孔区域３２に向け放射される音声信号音波はほぼ減衰することなく伝達される。このようにして、変換器７によって放射された音声信号音波の明瞭な指向性はバッフル２６によって得られる。この明瞭な指向性の結果、変換器７は鎖線の矢印Ｒによって示す方向に、運転者２の右の耳１４に音声信号音波を優先的に放射する。
バッフル２６に関して言えば、このバッフル２６は凹所１６Ａの底壁３３に対し傾斜した位置に配置されており、バッフル２６は図３の図面の平面に平行な方向に、及び図面の平面に垂直な方向に、底壁３３に対し傾いている。その結果、図２、及び図３に鎖線の矢印Ｎによって示したこの図面の平面の法線は図２、及び図３に示す方向に指向する。
変換器７によって放射する音声信号音波の明瞭な指向性を実現させる付加的手段２５は、座席８内でバッフル２６の他に、音響遅延素子を形成する発泡材料形態物３４を有する。この実施例では、この発泡材料形態物３４は基本的にＬ字状であり、この発泡材料形態物３４は図２のIII-III線によって示される断面の平面に垂直に図３内に延在する部分３５と、この部分３５にほぼ垂直に延在し部分３５から側方に突出する部分３６とを有する。凹所１６Ａの底壁３３から遠方の区域において、２個の部分３５、３６は支持体１６の湾曲形状、及び支持体１６の周りのカバー１３の湾曲形状に従って丸くなっている。
後部容積部３１、通路２４、及び開口３０を通じて音響自由空間２７に放射される音声信号音波の音声路内に発泡材料形態物３４を配置し、この発泡材料形態物３４はそのＬ字状に合致して、部分的に変換器７を包み込んでいる。図３から明らかなように、この実施例では、発泡材料形態物３４は支持体１６のところまで開口３０を充填している。発泡材料形態物３４は発泡材料の単一部分から成るのが有利である。この実施例では、発泡材料形態物は開放細孔から成り、必要なら密度の高いポリウレタンから構成する。しかし、代案として他の発泡材料で構成することができる。後部容積部３１、通路２４、及び開口３０を通じて音響自由空間２７内に放射される音声信号音波は、発泡材料形態物３４によって、伝播時間に関し影響を受け、更に、変換器７によって放射される音声信号音波の明瞭な指向性も、有利な影響を受けることができる。
座席８内にバッフル２６を設け、発泡材料形態物３４を付加的に設ける結果、変換器が放射する音声信号音波の明瞭な指向性を発揮することと、またこの指向性の故に、変換器は着席姿勢にある運転者２の右の耳１４に優先的に音声信号音波を放射することとを非常に簡単に達成することができる。
図４は本発明の第２実施例による座席８を示す。座席８内にキャリヤを形成している支持体１６は凹所１６Ａを有し、磁石システム１７、１８、１９、移動コイル２０、ダイアフラム２１、及び鍋状ハウジング２２を具える電気音響変換器７をこの凹所１６Ａ内に収容している。図４に示す座席８内に配置された変換器７は音声信号音波の正しい音響再生を行うように構成されており、変換器７によって放射する音声信号音波の明瞭な指向性を実現する付加的手段２５を有している。ここで、またこれ等の付加的手段２５はバッフル２６と、発泡材料形態物３４とを具える。この実施例では、バッフル２６は音声ポート２８に加えて、図４に１個のみを示す開口３０を形成する他の通路を有する。この実施例では、発泡材料形態物３４はバッフル２６の開口３０まで延びている。この実施例の発泡材料形態物３４は鍋状で、支持体１６内の対応する鍋状凹所１６Ａ内に収容されている。変換器７は鍋状発泡材料形態物３４内に取り付けられている。この実施例では、発泡材料形態物３４は開放細孔、及び／又は密度の高いポリウレタンから成るが、代案として他の発泡材料から成るものでもよい。
図５は本発明の第３実施例による座席８を示す。この実施例の座席８は図４、及び図５の座席８に比較的多く類似するが、発泡材料形態物３４の構造において基本的に相違している。
図４の座席８内の発泡材料形態物３４は単一の発泡材料部分から成るが、図５の座席８内の発泡材料形態物３４は２個の発泡材料部分３７、３８から成る。一方の発泡材料部分３７はディスク状で、凹所１６Ａの底壁３３に配置されており、鍋状ハウジングの底壁２３を支持している。他方の発泡材料部分３８はバッフル２６の全部の開口３０に接するような半環状である。
図６は本発明の第４実施例による座席８を示し、この座席８は図４、及び図５の各座席８と異なっていて、図６のこの実施例では、変換器７が放射する音声信号音波の明瞭な指向性を実現させるのに役立つ変換器７の付加的手段２５はバッフルを有しておらず、この付加的手段は異なる発泡材料構造を有する２個の発泡材料部分から成る発泡材料形態物３４によって形成されている。２個の発泡材料部分３９、４０はそれぞれ半分の鍋の形状であり、形状が一致しているので、後部容積部３１の区域内で、変換器７を共に円周的に、及び底部側で包囲している。２個の発泡材料部分３９、４０は分離帯域４１の位置で直接相互に隣接している。更に、２個の発泡材料部分３９、４０のそれぞれ半分の鍋形状に相当する半環状部の自由端面は音響自由空間２７に直接隣接しており、ここで上記自由端面はカバー１３によって覆われている。図６の座席８内の一方の発泡材料部分３９は音響的に密な発泡材料から成り、他方の発泡材料部分４０は音響的に透過性の発泡材料から成る。このように２個の発泡材料部３９、４０の発泡材料を選択することによって、変換器７によって放射する音声信号音波の明瞭な指向性を生ぜしめ、変換器７は鎖線の矢印Ｒによって示す方向に座席８の使用者の耳に向け優先的に音声信号音波を放射する。
図７は本発明の第５実施例による座席８の背当て１０を線図的に示す。この座席８内にキャリヤを形成する支持体１６は音声信号音波の最適な再生のための１対の電気音響変換器７、７′を支持している。これ等２個の変換器７、７′のそれぞれには、図示しないが各変換器７、７′が放射する音声信号音波の明瞭な指向性を実現するための付加的手段を設け、この指向性の結果、図７に２個の音声放射円錐形４２、４３を鎖線で線図的に示すように、着席姿勢にある座席８の使用者の両耳の一方に優先的に音声信号音波を放射する。
本発明は例としてここまでに述べた実施例に限定されない。例えば、発泡材料形態物を２個より多い発泡材料部分で構成することができる。図４、及び図５に示す実施例の代案として、凹所の底壁に対し少なくとも一方向に、好ましくは２方向に傾斜したバッフルを設けてもよい。座席の背当ての上部に設ける代わりに、明瞭な指向性を実現するための付加的手段と共に電気音響変換器を、座席の背当てに取り付けられたヘッドレストに取り付けることができる。更に、明瞭な指向性を実現するための付加的手段と共に電気音響変換器は必ずしも座席内に内蔵させる必要はなく、座席の外側に配置されたユニット内に収容することもできる。このユニットは付加的ユニットとしても構成することができ、このユニットは、既存の座席、又はその類似装置について得られる本発明の利点がこのユニットについても得られる利点がある。本発明装置は必ずしも座席として構成する必要はなく、寝台、患者用椅子、又は患者用寝台としても構成することができる。更に、本発明の要旨は航空機、又は列車の座席にも適用することができる。最後に、本発明装置は必ずしも座席、患者用椅子、患者用寝台等として構成する必要はなく、屋根、又は自動車輌の屋根の区域により構成することができ、又は航空機内の旅客用の頭上のサービスユニットにより構成することができる。
【図面の簡単な説明】
図１は本発明の第１実施例による運転者の座席を有する自動車輌の一部を線図的に示しており、音声信号音波を放射する線図的に示した電気音響変換器をこの座席は内蔵している。
図２は図１の自動車輌の運転席の上部の平面図で、この変換器によって放射する音声信号音波の明瞭な指向性を実現する付加的手段をこの内蔵電気音響変換器は具えており、また運転席に着席する運転者の頭部を線図的に示す。
図３は図２のIII-III線上の断面図で、内蔵電気音響変換器と、明瞭な指向性を実現する付加的手段とを有する図１の自動車輌の運転席の上部を示す。
図４は図２のIII-III線上の断面の平面に対しほぼ垂直な平面に沿う断面図で、内蔵電気音響変換器によって放射する音声信号音波の明瞭な指向性を実現する付加的手段を具えた内蔵電気音響変換器を有する本発明の第２実施例の運転席の上部を示す。
図５は図４と同様の図面で、内蔵電気音響変換器によって放射する音声信号音波の明瞭な指向性を実現する付加的手段とを具えた内蔵電気音響変換器を有する本発明の第３実施例の運転席の上部を示す。
図６は図４、及び図５と同様の図面で、内蔵電気音響変換器によって放射する音声信号音波の明瞭な指向性を実現する付加的手段とを具えた内蔵電気音響変換器を有する本発明の第４実施例の運転席の上部を示す。
図７は座席が２個の内蔵電気音響変換器を有している本発明の第５実施例の自動車輌の座席の背当てを線図的に示す。
【図１】
0004263252.tif 000002
【図７】
0004263252.tif 000003
【図２】
0004263252.tif 000004
【図３】
0004263252.tif 000005
【図４】
0004263252.tif 000006
【図５】
0004263252.tif 000007
【図６】
0004263252.tif 000008